(57)【要約】【課題】制御ケースに回転式のモータ出力調整部材を設けた魚釣用電動リールにおいて、リール本体の把持性、及び操作性の向上が図れる魚釣用電動リールを提供する。【解決手段】本発明に係る魚釣用電動リールは、釣糸が巻回されるスプール７と、スプール７を回転駆動する駆動モータ８と、左右側板間に設置され、駆動モータ８の出力を制御する制御部１００を収容した制御ケース１５と、制御ケース１５に対して、支軸３１によって回転可能に支持され、駆動モータ８の出力を調整する操作部材３０とを有する。そして、操作部材３０の断面形状における、支軸３１の中心Ｘから上端までの高さをＨ、支軸３１の中心Ｘから下端までの高さをｈとした場合、操作部材３０は、駆動モータ８の出力が０となる位置、及びＭａｘとなる位置のいずれもｈ＜Ｈとなる断面形状を有する。【選択図】図６
2013005738.tif 000002
【特許請求の範囲】
【請求項１】
リール本体の左右側板間に設けられ、釣糸が巻回されるスプールと、
前記リール本体に設けられ、スプールを回転駆動する駆動モータと、
前記左右側板間に設置され、前記駆動モータの出力を制御する制御部を収容した制御ケースと、
前記制御ケースに対して、支軸によって回転可能に支持され、前記駆動モータの出力を調整するモータ出力操作部材と、
を有する魚釣用電動リールであって、
前記モータ出力操作部材の断面形状における、前記支軸の中心Ｘから上端までの高さをＨ、前記支軸の中心Ｘから下端までの高さをｈとした場合、前記モータ出力操作部材は、前記駆動モータの出力が０となる位置、及びＭａｘとなる位置のいずれもｈ＜Ｈとなる断面形状を有することを特徴とする魚釣用電動リール。
【請求項２】
前記モータ出力操作部材の断面形状は、略扇型であることを特徴とする請求項１に記載の魚釣用電動リール。
【請求項３】
前記モータ出力操作部材は、前記左右側板の中心領域に配置されていることを特徴とする請求項１又は２に記載の魚釣用電動リール。
【請求項４】
前記モータ出力操作部材の操作角度を検知する検知手段は、前記支軸から離間した位置に設置されており、前記支軸から動力伝達機構を介して駆動される駆動部の移動量を検知することを特徴とする請求項１から３のいずれか１項に記載の魚釣用電動リール。
【発明の詳細な説明】
【技術分野】
【０００１】
本発明は、魚釣用電動リールに関する。
【背景技術】
【０００２】
従来、魚釣用電動リールは、主に深場の釣りに適用させるべく、仕掛けの放出から巻き取りに至るまで、釣竿を船縁に装着された竿掛けに置いたままの状態で行えるように構成されたものが多いが、最近では、手持ち状態で操作が行えるように、よりコンパクト化された構成も製品化されている。
【０００３】
例えば、魚釣用電動リールのスプールを巻き取り操作する（モータ出力を連続的に可変操作する）ための操作部材を、様々な位置に配置することが知られている。例えば、特許文献１には、制御ケースの上面から円板状の回転摘み（操作部材）の一部を露出させ、上方から親指を押し付けながら回転操作することで、モータ出力を連続的に可変させる構成が開示されている。また、本出願人は、先の出願（特許文献２）において、サミング操作からスプールの巻き取り操作に至る一連の操作をスムーズに行える魚釣用電動リールを提案している。この魚釣用電動リールでは、制御ケースの後方にスプール軸と略平行で、回転操作が可能な略円筒形状の操作部材を配設しており、サミングしている親指を前方に伸ばすことで、容易にモータ出力を調整できるようにしている。
【先行技術文献】
【特許文献】
【０００４】
【特許文献１】特開２００３−９２９５９号
【特許文献２】特願２０１１−９７８４３号
【発明の概要】
【発明が解決しようとする課題】
【０００５】
上記したように、最近の魚釣用電動リールでは、ルアーフィッシングに用いられる魚釣用（ベイトキャスティング）リールと同様、手持ち状態で操作することが可能なタイプも望まれている。上記した特許文献２で提案した魚釣用電動リールによれば、サミング操作からスプールの巻き取り操作に至る一連の操作をスムーズに行えるようになるが、リール本体の把持性を向上しつつ、更に操作性を向上するに際しては、改良すべき余地がある。
【０００６】
本発明は、上記した問題に着目してなされたものであり、制御ケースに回転式のモータ出力調整部材を設けた魚釣用電動リールにおいて、リール本体の把持性、及び操作性の向上が図れる魚釣用電動リールを提供することを目的とする。
【課題を解決するための手段】
【０００７】
上記した目的を達成するために、本発明に係る魚釣用電動リールは、リール本体の左右側板間に設けられ、釣糸が巻回されるスプールと、前記リール本体に設けられ、スプールを回転駆動する駆動モータと、前記左右側板間に設置され、前記駆動モータの出力を制御する制御部を収容した制御ケースと、前記制御ケースに対して、支軸によって回転可能に支持され、前記駆動モータの出力を調整するモータ出力操作部材と、を有しており、前記モータ出力操作部材の断面形状における、前記支軸の中心Ｘから上端までの高さをＨ、前記支軸の中心Ｘから下端までの高さをｈとした場合、前記モータ出力操作部材は、前記駆動モータの出力が０となる位置、及びＭａｘとなる位置のいずれもｈ＜Ｈとなる断面形状を有することを特徴とする。
【０００８】
上記した構成の魚釣用電動リールでは、左右側板間に設置される制御ケースに対して回転可能に支持されるモータ出力操作部材が、回転駆動される範囲（駆動モータの出力が０となる位置からＭａｘとなる位置の操作範囲）において、上記したように定義される（ｈ，Ｈ）がｈ＜Ｈとなる断面形状に構成されているため、モータ出力操作部材は、可能な限りロープロファイル化され、これにより握持保持される領域（制御ケース部分）の高さを低く抑えて把持性の向上を図ることが可能となる。また、モータ出力操作部材の位置を、可及的にスプール表面（釣糸巻回表面）に近付けることが可能となり、サミング操作からスプールの巻き取り操作に至る一連の操作をよりスムーズに行うことが可能となる。
【発明の効果】
【０００９】
本発明によれば、制御ケースに回転式のモータ出力調整部材を設けた魚釣用電動リールにおいて、リール本体の把持性、及び操作性の向上が図れるようになる。
【図面の簡単な説明】
【００１０】
【図１】本発明の第１の実施形態に係る魚釣用電動リールの平面図。
【図２】図１に示した魚釣用電動リールをハンドル側から見た側面図。
【図３】図１に示した魚釣用電動リールを後方側から見た後面図。
【図４】図１に示した魚釣用電動リールの内部機構を部分的に示した平面図。
【図５】図１に示した魚釣用電動リールの内部駆動機構を側方から見た概略図。
【図６】図１のＡ−Ａ線に沿う断面図。
【図７】（ａ）及び（ｂ）は、それぞれ図１に示した操作部材の操作例を説明する図。
【図８】（ａ）及び（ｂ）は、それぞれ図１に示した操作部材の第１変形例を示しており、操作例を説明する図。
【図９】（ａ）及び（ｂ）は、それぞれ図１に示した操作部材の第２変形例を示しており、操作例を説明する図。
【図１０】（ａ）及び（ｂ）は、それぞれ図１に示した操作部材の第３変形例を示しており、操作例を説明する図。
【図１１】本発明の第２の実施形態に係る魚釣用電動リールを示し、内部機構を部分的に示した平面図。
【図１２】図１１のＢ−Ｂ線に沿った断面図。
【図１３】本発明の第３の実施形態に係る魚釣用電動リールを示し、内部機構を部分的に示した平面図。
【発明を実施するための形態】
【００１１】
以下、図面を参照しながら、本発明に係る魚釣用電動リールの実施形態について説明する。  
図１から図６は本発明の第１の実施形態を示す図であり、図１は平面図、図２は図１に示した魚釣用電動リールをハンドル側から見た側面図、図３は図１に示した魚釣用電動リールを後方側から見た後面図、図４は図１に示した魚釣用電動リールの内部機構を部分的に示した平面図、図５は図１に示した魚釣用電動リールの内部駆動機構を側方から見た概略図、そして、図６は図１のＡ−Ａ線に沿う断面図である。  
なお、以下の説明において、前後方向、左右方向、上下方向は、図１及び図２に記載の方向と定義する。
【００１２】
図１に示すように、本実施形態に係る魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７が、支軸であるスプール軸７ａ（図６参照）を中心に回転可能に支持されている。また、本実施形態では、図５及び図６に示すように、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。
【００１３】
なお、駆動モータ８については、スプール７の内部に設置する構成であっても良いが、本実施形態のように、スプール７の前方に設置することで、スプール７の糸巻き量を確保しつつ、リール本体５を可及的にコンパクト化することが可能となる。また、動力伝達機構１０については、駆動モータ８の回転駆動力を減速してスプール７側に伝達する機能（減速機構１０２および伝達ベルト１０３（図４参照）などによって果たされる）、駆動モータ８が回転駆動しても手動ハンドル６を連れ回しさせない機能や手動ハンドル６の逆回転を防止する機能（ラチェット１０４を含む）などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図中（特に図４）、符号１１６は、ハンドル６に結合されたハンドル軸、符号１１８は、ハンドル軸１１６に回転可能に支持されたドライブギヤ、符号１２０は、ドライブギヤ１１８に噛合するピニオンであり、これらは前述した動力伝達機構１０を構成する。また、図中、符号１２５は、魚釣時にスプール７から釣糸が繰り出された際にスプール７の回転にドラグ力を付与する公知のドラグ機構であり、リール本体５とハンドル６との間には、ドラグ機構１２５によるドラグ力の調整を行なうための星型のドラグ調整ノブ（スタードラグ）１３９が設けられている。
【００１４】
また、スプール７の前方の左右側板５Ａ，５Ｂ間には、スプール７に対して均等に釣糸を巻回する機能を備えた公知のレベルワインド機構１４２（図５および図６参照）が設置されている。さらに、リール本体５を構成する左右側板５Ａ，５Ｂ間のスプール７の上方には、駆動モータ８を制御する制御部１００（制御基板１００Ａ，１００Ｂを有する）を収容した箱型の制御ケース１５が配設されている。本実施形態の制御ケース１５は、リール本体を構成する左右側板５Ａ，５Ｂの表面と面一状になるように構成されており、前後方向の長さ寸法が左右方向の長さ寸法よりも長く設定されている。
【００１５】
また、リール本体５内には、前記ピニオン１２０を軸方向に移動させてスプール７を釣糸巻き取り状態／フリー回転状態に切り換える公知のクラッチ機構１７（図４及び図５参照）が配置されている。このクラッチ機構１７は、動力伝達機構１０に介在されて手動ハンドル６および駆動モータ８からの動力伝達を継脱する機能を備えており、本実施形態では、右側板５Ｂ側に設置されている。このクラッチ機構１７を構成するクラッチプレート１７ａには、動力伝達をＯＮ状態からＯＦＦ状態に切り換えるクラッチＯＦＦ切換部材１８と、動力伝達をＯＦＦ状態からＯＮ状態に切り換えるクラッチＯＮ切換部材１９が係合している。
【００１６】
本実施形態におけるクラッチＯＦＦ切換部材１８は、スプール７をサミングしながら操作が可能となるように、スプール７の後方側の左右側板５Ａ，５Ｂ間に橋設された構成となっており、図６に示す状態から、その表面となる操作部１８ａに親指を載置して下方に押し下げ操作することで、クラッチ機構１７をＯＮ状態からＯＦＦ状態に切り換えるよう構成されている。このクラッチＯＦＦ切換部材１８は、図５に示される振り分け保持バネ２００によって、図５，図６に示すクラッチＯＮ位置とクラッチＯＦＦ位置（図示せず）との間で振り分け保持される。
【００１７】
また、本実施形態におけるクラッチＯＮ切換部材１９は、右側板５Ｂ側に設置されており、振り分け保持バネ２００（図５参照）によって、クラッチＯＮ位置とクラッチＯＦＦ位置との間で揺動可能となるよう振り分け保持されている。この場合、クラッチＯＮ切換部材１９は、クラッチＯＮ状態では、図５に示すように、右側板５Ｂの表面と略面一状となり、クラッチＯＦＦ状態では、右側板５Ｂの表面から突出するようになっている。そして、クラッチＯＮ切換部材１９は、スプール７に巻回された釣糸に対して親指の腹部でサミング操作している状態から容易にＯＮ操作できるように（左側板の後端側を支点として親指が届き易いように）、巻回されている釣糸の側方でやや後方側に設置されていることが好ましい。  
なお、クラッチＯＮ切換部材１９は、上記のように揺動される機械式以外にも、電気式（例えば、ソレノイドを利用したもの）で構成されていても良い。また、クラッチＯＦＦ切換部材１８と一体部材で構成されていても良い。
【００１８】
前記リール本体５には、駆動モータ８に対して電力を供給するための給電部２０が設けられている。この給電部２０は、左側板５Ａの前方側の下面領域に形成されており、この給電部２０に対しては、着脱可能な携帯バッテリ（図示せず）を装着したり、或いは、足元に置いたバッテリや釣り船に設置されている電源部から電力供給される給電コードが装着される。
【００１９】
前記制御ケース１５は、図６に示すように、スプール７の上方で、その支軸（この支軸としては、本実施形態ではスプール７の外側に駆動モータ８が配置されているためスプール軸７ａが該当するが、スプール７の内部に駆動モータ８が配置される別の形態ではスプール軸７ａが存在しないためモータ８の回転軸が該当する）近傍からレベルワインド機構１４２および駆動モータ８を覆うような大きさを備えている。
【００２０】
また、制御ケース１５の後方部分には、駆動モータ８の出力を調整するモータ出力操作部材３０（以下、単に操作部材と称する）が配置されている。本実施形態の操作部材３０は、制御ケース１５の中央部分（左右側板５Ａ，５Ｂの間の中心領域）に設置され、制御ケース１５の後方に回転可能に支持された支軸（回転支軸）３１に設けられている。具体的には、制御ケース１５の後方側には、その中央領域に、制御ケース１５の後端縁から前方側に向かって延び、制御ケース１５の後端縁で開口した凹陥部（開放部）１５Ａが設けられており、この凹陥部１５Ａを横切るようにして前記支軸３１が回転可能に支持されている。前記支軸３１は、前記スプール７の支軸（スプール軸７ａ）と略平行で、その両側が制御ケース１５に対して回転可能に支持された状態となっており、操作部材３０は、支軸３１の中央部において、凹陥部１５Ａ内に納まるように設置されている。なお、制御ケース後方の中央領域（左右側板間の中心領域）に設置される操作部材３０の軸方向長さについては、親指の幅程度（８〜２５ｍｍ）あれば良い。
【００２１】
前記操作部材３０は、支軸３１に垂直な面で切った断面形状が中心軸線（中心）Ｘに対して非対称形状となっており、操作部材３０をロープロファイル化している。すなわち、操作部材３０は回転操作される構成となっているため、モータ出力０の位置とＭａｘの位置との間の操作移動軌跡は円弧状を描くが、このような移動軌跡を考慮した場合、その両端の位置（モータ出力０の位置とＭａｘの位置）において、中心Ｘから下方部分についての高さｈを抑制しても、出力調整操作をする上で妨げになることはなく、操作部材３０をロープロファイル化することが可能である。
【００２２】
本発明は、この点に着目し、操作部材３０の断面形状について、支軸３１の中心Ｘから上端（断面視で最も上方となる位置）までの高さをＨ、支軸３１の中心Ｘから下端（断面視で最も下方となる位置）までの高さをｈとした場合、図７（ａ）及び（ｂ）に示すように、操作部材３０は、モータの出力が０となる位置、及びＭａｘとなる両端位置のいずれもｈ＜Ｈとなる断面形状を有するように構成されている。なお、図７に示す操作部材３０は、後述するように、（ａ）の状態がモータの出力０の位置であり、（ｂ）の状態がモータの出力がＭａｘの位置を示している。
【００２３】
本実施形態の操作部材３０は、下側から回転操作可能であり、かつ、上方からリール本体を押さえ付けた状態でも操作性が良好となるように、露出部分が円弧状となった断面略扇型（中心角が略直角に設定される）に構成されており、その両端が前記支軸３１によって、制御ケース１５に対して回転可能に両軸支持された状態となっている。具体的には、円弧状の外表面（回転表面）３０ａが、左右側板間で、スプール７を露出させる開口領域に面するように支持されており、リール本体５を把持保持した状態で、実際に操作する方向は、略前後方向Ｄ１となる成分、及び略上下方向Ｄ２となる成分を含むように支持されている（図１及び図３参照）。このため、凹陥部１５Ａに収容されるように設置された操作部材３０に対しては、スプール７上のどの位置でサミング操作していても、その指（親指Ｔ）を支障なくスムーズに外表面３０ａに当て付けることができると共に、制御ケース１５の表面に載置していても当て付けることができ、容易に回転操作（モータの出力調整操作）することが可能となる。また、操作部材３０が左右側板５Ａ，５Ｂの中心領域に位置することで、リール本体５の重心に対する把持位置のバランスが良くなり、操作性が良く、疲れ難い構成とすることが可能となり、右手、左手のどちらの手で把持しても共通の感覚が得られるようになる。
【００２４】
なお、操作部材３０の略扇型形状とは、内部が中実であっても良いし、全体或いは部分的に空洞部があるものを含む概念である。また、その表面形状については、面一な円弧面は勿論、図に示すように、表面に凹凸３０ｂが形成されていたり、指でつまんだり、当て付けることが可能な突起部が形成されたものであっても良い（後述する第１変形例；図８参照）。或いは、軸方向の中間部分が膨出していたり、窪んでいるなど、軸方向に親指の腹部が当接できて回転操作ができるような外形状を備えたものであっても良い。また、操作部材３０については、制御ケース１５の表面から部分的に突出していても良いし、制御ケース（リール本体）との間で、少なくとも一端側の回転表面が略面一状にされていても良い。本実施形態では、図５及び図６に示すように、制御ケース１５の表面から突出しないように構成されており、よりロープロファイル化を図ると共に、制御ケース１５上に載置した親指をスムーズにシフトできるように構成されている。
【００２５】
また、前記制御ケース１５に、操作部材３０とスプール７との間で、操作部材の下方を覆うように、保護カバー（誤動作防止部材）１５ａを設けておくことが好ましい。このような保護カバー１５ａを設けておくことで、釣糸を巻き取り操作する際、釣糸に付着したゴミや海水が操作部材３０に当たることを防止して、誤動作が生じることを防止することが可能となる。この場合、保護カバー１５ａは、制御ケースと一体部品であっても良いし、金属の薄板材などを制御ケースに接合しても良い。
【００２６】
前記支軸３１の右端部には、操作部材３０の操作角度を検知する検知手段、具体的には、角度センサ１３０が設置されている。この角度センサ１３０は、制御ケース１５内に設けられた収容部１３３にシールされた状態で組み込まれており、支軸３１の回転位置に応じた操作位置信号を出力する。すなわち、角度センサ１３０は、操作部材３０の操作位置に応じて操作信号を出力し、駆動モータ８の出力は、操作部材３０の操作位置に応じて調整することが可能となっている。
【００２７】
なお、上記したように、前記支軸３１は、前記スプール７の支軸（スプール軸７ａ）と略平行となるように回転可能に支持されているため、前記操作部材３０は、略前後方向（釣竿の方向；矢印Ｄ１に示す方向）に変位できるようになっている。また、操作部材３０は、リール本体を把持した状態で操作することから、操作部材３０に親指Ｔを当接させた際、親指の位置が大きく横にずれることがなく、リール本体の重心や給電部２０にかかる力（給電コードに引っ張られる力や携帯バッテリの重量負荷などで、釣竿の長手軸を中心に回転負荷による力）によるねじれ負荷に対し、操作性が低下したり疲れ易くなることがなくなる。この場合、操作部材３０を回転させた際の指（親指Ｔ）の位置の横方向のずれを考慮すると、上記した略平行の範囲については、スプール７の支軸に対して±３０°の範囲内であれば良い。すなわち、±３０°の範囲内であれば、リール本体５を把持保持した状態で、操作部材３０を自由に回転しても、指（親指Ｔ）の位置が横方向にずれ難くなり、リール本体を把持保持した際のバランスが悪くなることがなくなる。
【００２８】
また、本実施形態のリール本体５は、釣竿とともに片手で把持して操作可能な大きさに構成されており、上記したような回転可能な操作部材３０は、リール本体５を、竿取付部５ａを介して釣竿に装着した際に、釣竿とともにリール本体５を把持保持した状態の手の親指Ｔが届く位置に配設されている。
【００２９】
上記した制御ケース１５には、図６に示されるように、駆動モータ８の駆動を制御する制御部１００が収容されており、操作部材３０の回転操作量に応じて駆動モータ８の出力を調整するようになっている。この場合、制御部１００は、操作部材３０を前方に向けて回動操作することで、駆動モータ８の出力が上昇するように設定されている。これにより、釣糸の巻き取りをする際、サミングしている親指Ｔをそのまま前方に延ばして、操作部材３０を押し上げるような操作をすることで釣糸の巻き取り操作が行えるようになり、指の動きが単純化され、一連の探り操作をする際の操作性の向上が図れるようになる。
【００３０】
前記操作部材３０の回転操作量と駆動モータ８の出力との関係については任意である。本実施形態では、操作部材３０が、図６及び図７（ａ）に示す位置を基準位置としてモータの出力値０とし、そこから図７（ｂ）に示すように、略９０°前方に回転操作した際、モータ出力がＭａｘになるように設定されている。すなわち、前方方向に向けて操作した際に増速とすることで、釣竿とリール本体を持つ手に負荷がかかる高速巻き取り時に、より前方を把持できるので、把持保持性が高くなり、操作性が良く、疲れ難くなる。
【００３１】
上述したように、操作部材３０については、ロープロファイル化するために、その断面形状は、支軸３１の中心Ｘから上端までの高さをＨ、支軸３１の中心Ｘから下端までの高さをｈとした場合、図７（ａ）及び（ｂ）に示すように、モータの出力が０となる位置、及びＭａｘとなる両端位置のいずれもｈ＜Ｈとなる断面形状を有するように構成されている。このため、図７（ａ）で示す位置から、操作部材３０を前方に向けて回転させた際、制御ケース１５の凹陥部１５Ａの後端壁１５ｂと干渉しないように、操作部材３０と後端壁１５ｂとの間には、所定の隙間Ｓが形成されている（このような隙間Ｓは、前後方向に存在し、上下方向にロープロファイル化する上で問題になることはない）。  
なお、操作部材３０については、後方に向けて回転操作した際に、駆動モータ８の出力が上昇するように設定しても良い。このような構成によれば、スプール７をサミングしている親指の第一関節を折り曲げる動作をするだけで、サミング操作をＯＮからＯＦＦにすると同時に、操作部材３０を手前側に回転操作（駆動モータの増速回転）することができ操作性の良い構成となる。
【００３２】
前記制御ケース１５の表面には、繰り出された釣糸の長さ（糸長情報）などを表示する表示部（液晶表示部）１６が設けられており、また、その周囲には、各種の情報が設定可能な複数の操作ボタン１６ａ，１６ｂが配設されている。なお、本実施形態において、操作ボタン１６ａ，１６ｂは、図１に示されるように、制御ケース１５の上面において、表示部１６と操作部材３０との間で、且つ釣竿とともにリール本体５を把持保持した状態で親指が届く位置とされている。
【００３３】
前記制御ケース１５に収容される制御部１００は、魚釣用電動リールの動作を制御するＣＰＵ（Central Processing Unit）等を実装した制御基板（マイクロコンピュータ）１００Ａ、及び各種駆動回路を実装した回路基板１００Ｂを備えており、これらは、省スペース化のため、表示部１６の下方で上下方向に重なるように配置されている。すなわち、前記制御基板１００Ａは、操作部材３０の支軸３１の操作角度に応じて操作位置信号を出力する前記角度センサ１３０、スプール７に巻回されている釣糸の繰り出し量を検知することが可能な糸長計測装置、制御ケース１５上に設けられた液晶表示部１６に対して各種の情報を表示させる表示制御回路、制御ケース１５上に設けられた操作ボタン１６ａ，１６ｂ、及び駆動モータ８の出力を停止状態から高出力値まで連続的に増減調整するモータ駆動回路との間で信号の送受信を行い、魚釣用電動リールの動作を制御する。
【００３４】
次に、上記した構成の魚釣用電動リールの作用、効果について説明する。  
上記したように、本実施形態では、左右側板５Ａ，５Ｂ間に設置される制御ケース１５に対して回転可能に支持される操作部材３０が、回転駆動される範囲（駆動モータの出力が０となる位置、及びＭａｘとなる位置）において、中心Ｘから下端までの高さｈ、及び中心から上端までの高さＨに関し、ｈ＜Ｈとなるような断面形状に構成されているため、操作部材３０を可能な限りロープロファイル化することが可能となる。これにより、握持保持される領域（制御ケース１５の部分）の高さについても低く抑えて把持性の向上を図ることが可能となり、また、操作部材３０の位置を、可及的にスプール表面（釣糸巻回表面）に近付けることも可能となり、サミング操作からスプールの巻き取り操作に至る一連の操作をよりスムーズに行うことが可能となる。
【００３５】
また、本実施形態では、操作部材３０の形状を、断面略扇型としているため、操作表面３０ａが円弧形状となり、操作時のフィーリングが良くなる。すなわち、親指との接触面積が大きいので、当接した際の感覚が良くなり、かつ、微調整操作がし易くなる。
【００３６】
また、本実施形態の操作部材３０は、左右側板５Ａ，５Ｂ間、すなわち、リール本体の左右の中心域に設置されているため、釣糸巻回域のぎりぎりまで操作部材を下げることが可能となり（スプールのフランジ部分に設置されると、フランジ周辺の本体凸部が邪魔になり、その分、下げることができない）、効果的にロープロファイル化を達成することができる。
【００３７】
さらに、操作部材３０は、左右側板５Ａ，５Ｂの間に設置されているため、釣竿とともにリール本体５を保持しても、安定した状態でリール本体を保持しつつ、親指を操作部材３０に位置させることができ、モータの出力調整操作を安定して片手で行うことが可能となる。この場合、親指でスプールをサミングしながら、片手で釣竿をシャクリ操作したり、あおり操作している状況で魚信があった場合、そのまま親指を操作部材３０に当接させることで直ちに巻き取り操作に移行することが可能となり、特に、上記したように、スプールの釣糸巻回表面から操作部材３０までの距離が短いため、素早い巻き取り操作が行えるようになる。また、操作部材３０の上面側は、円弧面が露出しているため、指の腹で転がすことが容易に行えるようになり、魚への誘い巻きなど、デリケートなタッチで巻き取り操作が行えるようになる。
【００３８】
上記した操作部材３０については、駆動モータの出力が０となる位置、及びＭａｘとなる位置において、中心Ｘから下端までの高さｈ、及び中心から上端までの高さＨに関し、ｈ＜Ｈとなるように設定されれば、その断面形状については、適宜変形することが可能である。以下、図８から図１０を参照して、操作部材の変形例を説明する。なお、いずれの図面においても、（ａ）はモータ出力が０の位置を、（ｂ）はモータ出力がＭａｘの位置を示している。
【００３９】
図８（ａ）及び（ｂ）に示すように、操作部材３０の外表面３０ａに、軸方向に沿って突状部３０ｄを形成しておくことで、確実に指が掛かるようになり、指を滑り難くすることが可能となる。また、このような突状部３０ｄの位置により、モータの出力の大きさを視認することが可能となる。
【００４０】
また、操作部材３０を、上記したように、断面略扇型とした場合、その中心角を、図９（ａ）及び（ｂ）に示すように、鋭角に設定すると、図７に示す中心角が略９０°の構成と比較して、操作部材の回転角度を大きくとることが可能となる（図に示す構成では、略１２０°程度に設定されている）。このように、回転角度（操作角度）を大きくすることで、デリケートなモータの出力調整が可能となる。
【００４１】
また、操作部材３０は、図１０（ａ）及び（ｂ）に示すように、断面略Ｌ字形状にしても良い。このような形状によれば、指が掛かり易くなって指が滑り難くなると共に、モータの出力の大きさを視認することも可能となる。  
【００４２】
次に、本発明の別の実施形態について説明する。なお、以下に例示する実施形態では、上述した第１の実施形態と同様な構成要素については、同一の参照符号を付し、詳細な説明については省略する。
【００４３】
図１１及び図１２は、本発明の第２の実施形態を示しており、図１１は、内部機構を部分的に示した平面図、図１２は、図１１のＢ−Ｂ線に沿った断面図である。  
本実施形態では、操作部材３０Ａを、よりロープロファイル化するために、操作部材３０Ａを回転可能に支持する支軸３１Ａを、第１実施形態の支軸３１と比較して細径化している。この場合、支軸３１Ａを細径化すると、操作部材３０Ａの操作角度を検知する検知手段（角度センサ）は、その形状が大きいことから、支軸の中心から下方に大きく張り出し、検知手段（角度センサ）の下側のスプールとの干渉によりロープロファイル化が実現しなくなる。そこで、角度センサ１３０Ａを制御ケース内ではなく、制御ケース１５に対して外付けされる収容部１５Ｂを設け、この内部に収容するようにする。すなわち、前記支軸３１Ａから離間した位置に角度センサ１３０Ａを設置し、支軸３１Ａから動力伝達機構１６０を介して駆動される駆動部１６１の移動量を検知することで、操作部材３０Ａの操作角度を検知するようにしている。この場合、動力伝達機構１６０は、例えば、支軸３１Ａと駆動部（プーリ等）１６１との間に巻回されるベルト１６２を介して、動力伝達する構成とすることが可能であり、それ以外にも、例えば、ラックアンドピニオン方式等によって動力伝達することも可能である。
【００４４】
上記のように、操作部材３０Ａを支持した支軸３１Ａの操作角度を検知する検知手段を、支軸３１Ａから離れた位置（この離れた位置は、リール本体を把持保持する際に、妨げとならない位置であれば良い）に設置することで、支軸３１Ａを細径化することが可能となり、操作部材３０Ａをよりロープロファイル化することが可能となる。  
なお、検知手段を設置する部分は、図に示すように、制御ケース１５に膨出部を形成したり、左右側板内に収容領域を形成したものであっても良い。また、動力伝達機構１６０は、上記以外にも、ギヤトレインによって構成されていても良い。
【００４５】
図１３は、本発明の第３の実施形態を示す平面図である。  
本実施形態では、制御ケース１５に、上記したような後端が開口する凹陥部１５Ａを形成するのではなく、その中央に、略矩形状の開口部１５Ｄを形成し、この部分に、操作部材３０を両軸支持した状態でその表面を露出させている。  
このように、制御ケース１５と操作部材３０の配置態様については、適宜変形することが可能である。
【００４６】
以上、本発明の実施形態について説明したが、本発明は、操作部材を支軸によって制御ケースに回転可能に支持した構成において、支軸の中心Ｘから上端までの高さをＨ、支軸の中心Ｘから下端までの高さをｈとした場合、操作部材を、駆動モータの出力が０となる位置、及びＭａｘとなる位置のいずれもｈ＜Ｈとなる断面形状を備えていれば良く、具体的な形状については、適宜、変形することが可能である。また、操作部材の操作角度を検知する検知手段についても、適宜、変形することが可能である。
【符号の説明】
【００４７】
１  魚釣用電動リール
５  リール本体
５Ａ，５Ｂ  左右側板
６  手動ハンドル
７  スプール
７ａ  スプール軸
８  駆動モータ
１５  制御ケース
３０，３０Ａ  操作部材
３１，３１Ａ  支軸
１３０，１３０Ａ  角度センサ
１６０  動力伝達機構
【図１】
2013005738.tif 000003
【図２】
2013005738.tif 000004
【図３】
2013005738.tif 000005
【図４】
2013005738.tif 000006
【図５】
2013005738.tif 000007
【図６】
2013005738.tif 000008
【図７】
2013005738.tif 000009
【図８】
2013005738.tif 000010
【図９】
2013005738.tif 000011
【図１０】
2013005738.tif 000012
【図１１】
2013005738.tif 000013
【図１２】
2013005738.tif 000014
【図１３】
2013005738.tif 000015